(57)【要約】      （修正有）【課題】煙霧により汚染された空気を濾過し、日射を防いで、有益な光波を吸収し、透光性、吸光性、耐洗浄性の機能を兼ね備えた薄型軽量の通気布である煙霧・光エネルギー防止性布織物を提供する。【解決手段】煙霧・光エネルギー防止性布織物は、第１の織面層３１と、第２の織面層３２と、前記第１の織面層３１及び前記第２の織面層３２の内側に結合された中間部結合層３３と、前記第１の織面層３１の表層に塗布された日射防止層３４とを含み、両面を一体に編み上げて単布織物に形成される。【選択図】図２
0003218323.tif 000002
【実用新案登録請求の範囲】
【請求項１】
第１の織面層と、第２の織面層と、前記第１の織面層及び前記第２の織面層の内側に結合された中間部結合層と、前記第１の織面層の表層に塗布された日射防止層と、を含み、両面を一体に編み上げて単布織物に形成されていることを特徴とする煙霧・光エネルギー防止性布織物。
【請求項２】
前記日射防止層は、無毒蛍光塗色技術による無張力ベタパターン層を含み、無張力無塵ドライヤーにより乾燥し、ホルムアルデヒドを除去して高温でその変褪色度を固定し、前記第１の織面層の表層に塗布して前記第１の織面層の織物の布目毛孔を覆い、煙霧により汚染された空気を濾過する防護面が形成されていることを特徴とする請求項１に記載の煙霧・光エネルギー防止性布織物。
【請求項３】
前記第１の織面層は、織物正面に設けられ、ポリエステル繊維ナイロン及び弾性糸を組織材料とする重合物からなり、多数の編み上げにより布目を細かくし、前記第１の織面層の布目を逆Ｖ字状布目に形成し、糸間の空隙を遮蔽して防護面を形成することを特徴とする請求項１に記載の煙霧・光エネルギー防止性布織物。
【請求項４】
前記中間部結合層は、ポリエステル繊維からなって非親水性を有し、それ自身の糸材に微小な静電気の吸引力を発生させて防護面を形成することを特徴とする請求項１に記載の煙霧・光エネルギー防止性布織物。
【請求項５】
前記第２の織面層は、織物の背面に形成されるとともに、ポリエステル繊維及び弾性糸を組織材料とする重合物からなり、前記ポリエステル繊維糸は前記第１の織面層の表面のポリエステル繊維ナイロン糸の３．５倍より小さく、前記第１の織面層の布目の空隙を遮蔽して防護面を形成することを特徴とする請求項１に記載の煙霧・光エネルギー防止性布織物。
【請求項６】
染色を行う際、前記第２の織面層は染色加工を行わずに元の色に保持されるか、又は必要に応じてカスタマイズして前記第１の織面層と異なる色に染色されることを特徴とする請求項１に記載の煙霧・光エネルギー防止性布織物。
【請求項７】
医療用マスク、ネック、スリーブ、衣類などの装着用品の材料又は掃除機の吸塵袋として切断されて形成されることを特徴とする請求項１に記載の煙霧・光エネルギー防止性布織物。
【考案の詳細な説明】
【技術分野】
【０００１】
本考案は、煙霧・光エネルギー防止性布織物に関するものであり、さらに詳しくは、煙霧により汚染された空気を濾過し、日射を防いで、有益な光波を吸収し、透光性、吸光性、耐洗浄性の機能を兼備した薄型軽量の通気布である煙霧・光エネルギー防止性布織物に関するものである。
【背景技術】
【０００２】
図９に示すように、従来の煙霧防止性織布２０は、外布層２２及び内布層２１を結合させて３層又は４層以上の不織布又は活性炭のバリア層２３を構成し、多層織布を組み合わせて高い煙霧防止性能を得ることができたが、装着したときに暑苦しく感じたり通気性が悪かったりしたため、長時間使用することが困難であり、改良が求められていた。
【考案の概要】
【考案が解決しようとする課題】
【０００３】
従って、本考案の主な課題は、煙霧により汚染された空気を濾過し、日射を防いで、有益な光波を吸収し、透光性、吸光性、耐洗浄性の機能を兼ね備えた薄型軽量の通気布である煙霧・光エネルギー防止性布織物を提供することにある。
【課題を解決するための手段】
【０００４】
そこで、本考案者は、本考案の前記課題を解決するために鋭意検討を重ねた結果、第１織面層と第２織面層との間に非親水性の繊維からなる中間織面層を設けると共に第１織面層の表層に日射防止層を塗布形成させ、多層一体化層としたものが、前記課題を解決できることに着目し、本考案に想到するに至った。
すなわち、上記課題を解決するために、本考案の第１の形態によれば、第１の織面層と、第２の織面層と、前記第１の織面層及び前記第２の織面層の内側に結合された中間部結合層と、前記第１の織面層の表層に塗布された日射防止層と、を含み、両面を一体に編み上げて単布織物に形成されていることを特徴とする煙霧・光エネルギー防止性布織物を提供することができる。
【０００５】
前記日射防止層は、無毒蛍光塗色技術による無張力ベタパターン層を含み、無張力無塵ドライヤーにより乾燥し、ホルムアルデヒドを除去して高温でその変褪色度を固定し、前記第１の織面層の表層に塗布して前記第１の織面層の織物の布目毛孔を覆い、煙霧により汚染された空気を濾過する防護面が形成されていることが好ましい。
【０００６】
前記第１の織面層は、織物正面に設けられ、ポリエステル繊維ナイロン及び弾性糸を組織材料とする重合物からなり、多数の編み上げにより布目を細かくし、前記第１の織面層の布目を逆Ｖ字状布目に形成し、糸間の空隙を遮蔽して防護面を形成することが好ましい。
【０００７】
前記中間部結合層は、ポリエステル繊維からなって非親水性を有し、それ自身の糸材に微小な静電気の吸引力を発生させて防護面を形成することが好ましい。
【０００８】
前記第２の織面層は、織物の背面に形成されるとともに、ポリエステル繊維及び弾性糸を組織材料とする重合物からなり、前記ポリエステル繊維糸は前記第１の織面層の表面のポリエステル繊維ナイロン糸の３．５倍より小さく、前記第１の織面層の布目の空隙を遮蔽して防護面を形成することが好ましい。
【０００９】
染色を行う際、前記第２の織面層は染色加工を行わずに元の色に保持されるか、必要に応じてカスタマイズして前記第１の織面層と異なる色に染色されることが好ましい。
【００１０】
医療用マスク、ネック、スリーブ、衣類などの装着用品の材料又は掃除機の吸塵袋として切断されて形成されることが好ましい。
【００１１】
かくして、本考案の要旨は、次の(１)〜（７）に記載の通りのものである。
（１）第１の織面層と、第２の織面層と、前記第１の織面層及び前記第２の織面層の内側に結合された中間部結合層と、前記第１の織面層の表層に塗布された日射防止層と、を含み、両面を一体に編み上げて単布織物に形成されていることを特徴とする煙霧・光エネルギー防止性布織物。
【００１２】
（２）前記日射防止層は、無毒蛍光塗色技術による無張力ベタパターン層を含み、無張力無塵ドライヤーにより乾燥させ、ホルムアルデヒドを除去することにより高温でその変褪色度を固定し、前記第１の織面層の表層に塗布して前記第１の織面層の織物の布目毛孔を覆い、煙霧により汚染された空気を濾過する防護面が形成されていることを特徴とする前記（１）に記載の煙霧・光エネルギー防止性布織物。
【００１３】
（３）前記第１の織面層は、織物正面に設けられ、ポリエステル繊維ナイロン及び弾性糸を組織材料とする重合物からなり、多数の編み上げにより布目を細かくし、前記第１の織面層の布目を逆Ｖ字状布目に形成し、糸間の空隙を遮蔽して防護面を形成することを特徴とする前記（１）に記載の煙霧・光エネルギー防止性布織物。
【００１４】
（４）前記中間部結合層は、ポリエステル繊維からなるものであり、非親水性を有し、それ自体の糸材に微小な静電気の吸引力を発生させて防護面を形成することを特徴とする前記（１）に記載の煙霧・光エネルギー防止性布織物。
【００１５】
（５）前記第２の織面層は、織物の背面に形成されるとともに、ポリエステル繊維及び弾性糸を組織材料とする重合物からなり、前記ポリエステル繊維糸は前記第１の織面層の表面のポリエステル繊維ナイロン糸の３．５倍より小さく、前記第１の織面層の布目の空隙を遮蔽して防護面を形成することを特徴とする前記（１）に記載の煙霧・光エネルギー防止性布織物。
【００１６】
（６）染色を行う際、前記第２の織面層は染色加工を行わずに元の色に保持されるか、必要に応じてカスタマイズして前記第１の織面層と異なる色に染色されることを特徴とする前記（１）に記載の煙霧・光エネルギー防止性布織物。
【００１７】
（７）医療用マスク、ネック、スリーブ、衣類などの装着用品の材料又は掃除機の吸塵袋として切断されて形成されることを特徴とする前記（１）に記載の煙霧・光エネルギー防止性布織物。
【考案の効果】
【００１８】
本考案は、前記の通りの構成からなり、後述の通り、気中の煙霧の除去機能に優れると共に、弾性・通気性を備え、呼吸の抵抗を下げ、また柔軟な快適性を有すると共に、透光性、吸光性を有する上に、紫外線の除去の如き日射防止、光治療においても顕著な効果を奏する。
【図面の簡単な説明】
【００１９】
【図１】本考案の一実施形態に係る煙霧・光エネルギー防止性布織物を示す斜視図である。
【図２】本考案の一実施形態に係る煙霧・光エネルギー防止性布織物を示す断面図である。
【図３】本考案の一実施形態に係る煙霧・光エネルギー防止性布織物を示す部分拡大図である。
【図４】本考案の一実施形態に係る煙霧・光エネルギー防止性布織物により空気汚染粒子を隔絶する状態を示す部分拡大図である。
【図５】本考案の一実施形態に係る煙霧・光エネルギー防止性布織物を医療用マスクに応用した状態を示す模式図である。
【図６】本考案の一実施形態に係る煙霧・光エネルギー防止性布織物をネックに応用した状態を示す模式図である。
【図７】本考案の一実施形態に係る煙霧・光エネルギー防止性布織物をスリーブに応用した状態を示す模式図である。
【図８】本考案の一実施形態に係る煙霧・光エネルギー防止性布織物を掃除機の集塵バッグに応用した状態を示す模式図である。
【図９】従来の煙霧防止性織布を示す模式図である。
【考案を実施するための形態】
【００２０】
以下、本考案について図面により具体的に説明する。もっとも、本考案は、かかる図面等により限定されるものではない。
図１〜図３を参照する。図１〜図３に示すように、本考案の一実施形態に係る煙霧・光エネルギー防止性布織物は、両面を一体的に編み上げて布目を細かくする組織材料重合物の機能生地織物を単布で構成した煙霧・光エネルギー防止性布織物３０である。煙霧・光エネルギー防止性布織物３０は、織物正面の第１の織面層３１と、織物背面の第２の織面層３２と、第１の織面層３１及び第２の織面層３２の各内側に結合された中間部結合層３３と、第１の織面層３１の表層に塗布する日射防止層３４と、を含む。
【００２１】
この日射防止層３４は、単面顔料の蛍光色糊を用いて無毒蛍光塗色技術により、第１の織面層３１の表層上に無張力ベタパターン層が塗布され、無張力無塵ドライヤーにより乾燥させてホルムアルデヒドを除去し、高温でその変褪色度が固定され、紫外線を特定波長の光エネルギーに変換して人体の皮膚へ伝え、光治療及び美容の効果を得るため、清涼感、日射防止、防臭、無毒、吸光、透光の特徴を有する上、第１の織面層３１の織物の布目毛孔を覆い、煙霧により汚染された空気を濾過する防護面を形成する。
【００２２】
その第１の織面層３１は、ポリエステル繊維ナイロン及び弾性糸を組織材料とする重合物機能を有する生地織物である。多数の編み上げにより布目を細かくし、表面に逆Ｖ字状布目３１１を一体化させて糸間に空隙を形成し、煙霧の粉塵Ｘ１を濾過する防護面を形成させ、織面層３１，３２の内側に形成された中間部結合層３３のポリエステル繊維が非親水性を備え、それ自身の乾燥環境には微小な静電気により煙霧の粉塵Ｘ１を吸着させて濾過する防護面を形成するとともに、ポリエステル繊維及び弾性糸を組織材料とする重合物を織物背面の第２の織面層３２に編み上げる。正面のナイロン糸の３．５倍より小さい編み上げの布目により、織布の物理的原理により煙霧の粉塵を濾過する防護面を形成させる。このようにして両面を一体に編み上げて単布織物を形成し、織物を薄くして通気性を保持し、これにより呼吸の抗力を小さくし、水洗いにより繰り返して使用可能で、光治療、日射防止、耐紫外線及び煙霧の粉塵を濾過する効果を有する。
【００２３】
図４を参照する。図４に示すように、実際に使用する際、第１の織面層３１の表層に日射防止層３４を塗布して最外層とし、紫外線を特定波長の光エネルギーに変換して人体の皮膚へ伝え、光治療及び美容の効果を得て、清涼感、日射防止、防臭、無毒、吸光、透光の特徴を有する上、第１の織面層３１の織物の布目毛孔を覆い、煙霧により汚染された空気を濾過する防護面を形成する。
【００２４】
その第１の織面層３１は、ポリエステル繊維ナイロン及び弾性糸を組織材料とする重合物機能を有する生地織物であり、多数の編み上げにより布目を細かくし、表面に逆Ｖ字状布目３１１を一体化させて糸間に空隙を形成し、煙霧の粉塵Ｘ１を濾過する防護面を形成させる。織面層３１，３２の内側に形成された中間部結合層３３のポリエステル繊維が非親水性を備え、それ自身の乾燥環境には微小な静電気により煙霧の粉塵Ｘ１を吸着させて濾過する防護面を形成するとともに、ポリエステル繊維及び弾性糸を組織材料とする重合物を織物背面の第２の織面層３２に編み上げ、そのポリエステル繊維が正面のポリエステル繊維ナイロン糸の３．５倍より小さい編み上げの布目により、織布の物理的原理により煙霧の粉塵Ｘ１を濾過する防護面を形成させ、両面を一体に編み上げて単布織物の煙霧・光エネルギー防止性布織物３０を形成する。かかる煙霧・光エネルギー防止性布織物３０は、多重防護の機能を得るとともに、織物を薄くして通気性を保持し、呼吸の抗力を小さくし、水洗いにより繰り返して使用可能で、光治療、日射防止、耐紫外線の効果を得ることができる。
【００２５】
上述した煙霧・光エネルギー防止性布織物３０は、加工作業により装着又は搭載する防護製品に成形してもよい。ここで防護製品とは、医療用マスク４０（図５を参照。）、ネック５０（図６を参照。）、スリーブ６０（図７を参照。）、衣類など、又は掃除機に用いる掃除機の吸塵袋７０（図８を参照。）などの製品に応用し、装着又は搭載するとき、弾性・通気性を備えて柔軟な快適性を感じることができる上、透光性及び吸光性を備え、紫外線が生地織物に照射された後、体に有害な光を濾過して体に有益な色光へ変換させることができ、日射防止及び光治療の効果が得られる。
【００２６】
当該分野の当業者が理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
２０  煙霧防止性織布
２１  内布層
２２  外布層
２３  バリア層
３０  煙霧・光エネルギー防止性布織物
３１  第１の織面層
３２  第２の織面層
３３  中間部結合層
３４  日射防止層
４０  医療用マスク
５０  ネック
６０  スリーブ
７０  掃除機の吸塵袋
３１１  逆Ｖ字状布目
Ｘ１  煙霧の粉塵
【図１】
0003218323.tif 000003
【図２】
0003218323.tif 000004
【図３】
0003218323.tif 000005
【図４】
0003218323.tif 000006
【図５】
0003218323.tif 000007
【図６】
0003218323.tif 000008
【図７】
0003218323.tif 000009
【図８】
0003218323.tif 000010
【図９】
0003218323.tif 000011